(57)【要約】      （修正有）【課題】コンパクトな形態にでき、より利便性を向上させたリユーザブルバッグを提供する。【解決手段】リユーザブルバッグ１は、バッグ１１ａ〜１１ｄと、芯棒１２と、を備え、バッグ１１ａ〜１１ｄは、柔軟性を有する袋状のバッグ本体１１ａと、バッグ本体１１ａの外面から突設され、バッグ本体１１ａと芯棒１２とを連結する連結部１１ｂと、を有し、芯棒１２は、バッグ本体１１ａと連結部１１ｂとが巻き回される軸部を有する。【選択図】図１
0003229938.tif 000002
【実用新案登録請求の範囲】
【請求項１】
バッグと、芯棒と、を備え、
前記バッグは、柔軟性を有する袋状のバッグ本体と、前記バッグ本体の外面から突設され、前記バッグ本体と前記芯棒とを連結する連結部と、有し、
前記芯棒は、前記バッグ本体と前記連結部とが巻き回される軸部を有するリユーザブルバッグ。
【請求項２】
前記連結部における前記軸部の軸方向の長さは、前記バッグ本体における前記軸方向の長さの半分以下に構成されている、請求項１に記載のリユーザブルバッグ。
【請求項３】
前記バッグ本体は、前記軸部の軸方向と略垂直方向に延びる折り目線を含み、
前記折り目線は、前記軸部の軸方向に沿って間隔を空けて複数設けられている、請求項２に記載のリユーザブルバッグ。
【請求項４】
前記折り目線は、前記軸部の軸方向に沿って略一定の間隔を空けて複数設けられ、
前記連結部における前記軸部の軸方向の長さは、前記間隔以下に構成されている、請求項３に記載のリユーザブルバッグ。
【請求項５】
前記バッグは、前記バッグ本体の開口端から、開口方向に沿って突設された、長尺体の持ち手部を有する、請求項１〜４の何れかに記載のリユーザブルバッグ。
【請求項６】
前記バッグは、前記持ち手部の一端を、前記バッグ本体に対して着脱可能に取付ける取付け機構を有する、請求項５に記載のリユーザブルバッグ。
【請求項７】
前記取付け機構は、前記バッグ本体の開口端近傍に設けられ、前記持ち手部の一端が挿通される挿通孔と、前記持ち手部の一端を輪状体とする輪状体形成部と、を含む、請求項６に記載のリユーザブルバッグ。
【請求項８】
前記持ち手部は、帯状体であり、
前記持ち手部の一方の面の端部には、第一係合部が設けられ、他方の面には、前記第一係合部と係合する第二係合部が設けられている、請求項５〜７の何れかに記載のリユーザブルバッグ。
【請求項９】
前記芯棒は、その少なくとも一方の端部に、ストッパー部を有し、
前記ストッパー部には、前記軸部の軸方向と略垂直方向に広がる接触面が設けられている、請求項１〜８の何れかに記載のリユーザブルバッグ。
【請求項１０】
前記芯棒は、その少なくとも一方の端部に設けられた、貫通孔を有する、請求項１〜９の何れかに記載のリユーザブルバッグ。
【考案の詳細な説明】
【技術分野】
【０００１】
本考案は、リユーザブルバッグに関するものである。
【背景技術】
【０００２】
従来から、消費者が、スーパーやコンビニエンスストア等での買い物の際にもらうレジ袋を大量に消費することで、地球環境に悪影響を与えているという問題が存在していた。
【０００３】
このため、近年では、買い物の際に、繰り返しの使用が可能なリユーザブルバッグを持ち歩いくスタイルが広く普及している。
【０００４】
特に現在、日本国内において、レジ袋有料化が実施されている背景から、リユーザブルバッグに対する需要が、全国的に増加している。
【０００５】
上記のような需要に対するアイデアとして、例えば、特許文献１には、ランチョンマット及び手提げ袋の二重の機能を有するリユーザブルバッグに関する発明が記載されている。
このリユーザブルバッグは、平面状のランチョンマットの周縁に挿通された手提げ紐を引っ張ることで、ランチョンマットが袋状となり、弁当箱が完全にランチョンマットの内側に包み込まれた態様となる。
【先行技術文献】
【特許文献】
【０００６】
【特許文献１】実用新案登録第３２２５９３２号公報
【考案の概要】
【考案が解決しようとする課題】
【０００７】
しかしながら、特許文献１に記載のリユーザブルバッグは、折り畳める仕様等にはなっておらず携帯性については特に考慮されていない。このため、特許文献１に記載のリユーザブルバッグは、例えば、不使用時に別の鞄等に収納する際に嵩張り、持ち歩きに不便であるという問題が存在する。
【０００８】
本考案は上記のような実状に鑑みてなされたものであり、コンパクトな形態にでき、より利便性を向上させたリユーザブルバッグを提供することを課題とする。
【課題を解決するための手段】
【０００９】
上記課題を解決するために、本考案は、バッグと、芯棒と、を備え、
前記バッグは、柔軟性を有する袋状のバッグ本体と、前記バッグ本体の外面から突設され、前記バッグ本体と前記芯棒とを連結する連結部と、有し、
前記芯棒は、前記バッグ本体と前記連結部とが巻き回される軸部を有する。
【００１０】
本考案によれば、本リユーザブルバッグの不使用時に、軸部にバッグ本体と連結部とを巻き回すことで、簡便かつ迅速にコンパクトな形態とすることができ、例えば鞄のポケット等任意の箇所に容易に収納しておくことが可能となる。
【００１１】
本考案の好ましい形態では、前記連結部における前記軸部の軸方向の長さは、前記バッグ本体における前記軸方向の長さの半分以下に構成されている。
【００１２】
このような構成とすることで、バッグ本体を軸方向に折り畳んでから、軸部に巻き回すことができ、本リユーザブルバッグを、よりコンパクトな形態とすることが可能となる。
【００１３】
本考案の好ましい形態では、前記バッグ本体は、前記軸部の軸方向と略垂直方向に延びる折り目線を有し、
前記折り目線は、前記軸部の軸方向に沿って間隔を空けて複数設けられている。
【００１４】
このような構成とすることで、バッグ本体の軸方向に沿った折り畳み作業を迅速に行うことができ、また、不要な嵩張りも防止することが可能となる。
【００１５】
本考案の好ましい形態では、前記折り目線は、前記軸部の軸方向に沿って略一定の間隔を空けて複数設けられ、前記連結部における前記軸部の軸方向の長さは、前記間隔以下に構成されている。
【００１６】
このような構成とすることで、本リユーザブルバッグを、連結部の軸方向に沿った長さまで折り畳むことができ、よりコンパクトな形態とすることが可能となる。
【００１７】
本考案の好ましい形態では、前記バッグは、前記バッグ本体の開口端から、開口方向に沿って突設された、長尺体の持ち手部を有する。
【００１８】
このような構成とすることで、バッグ本体に所定の物品を収容した際の持ち運びが容易となる。
【００１９】
本考案の好ましい形態では、前記バッグは、前記持ち手部の一端を、前記バッグ本体に対して着脱可能に取付ける取付け機構を有する。
【００２０】
このような構成とすることで、芯棒に巻き回したバッグ本体に持ち手部を巻き付け、持ち手部を締結等することで、持ち手部を、コンパクトな形態を維持する留め具として機能させることが可能となる。
【００２１】
本考案の好ましい形態では、前記取付け機構は、前記バッグ本体の開口端近傍に設けられ、前記持ち手部の一端が挿通される挿通孔と、前記持ち手部の一端を輪状体とする輪状体形成部と、を含む。
【００２２】
このような構成とすることで、簡易な構成でもって、持ち手部の一端の、バッグ本体への強固な取付け及びバッグ本体からの迅速な脱離作業を行うことが可能となる。
【００２３】
本考案の好ましい形態では、前記持ち手部は、帯状体であり、前記持ち手部の一方の面の端部には、第一係合部が設けられ、他方の面には、前記第一係合部と係合する第二係合部が設けられている。
【００２４】
このような構成とすることで、簡便に、持ち手部を留め具として機能させることが可能となる。
【００２５】
本考案の好ましい形態では、前記芯棒は、その少なくとも一方の端部に、ストッパー部を有し、前記ストッパー部には、前記軸部の軸方向と略垂直方向に広がる接触面が設けられている。
【００２６】
このような構成とすることで、芯棒に巻き回したバッグ本体が軸部の軸方向にズレることがなく、コンパクトな形態を安定して維持ことが可能となる。
【００２７】
本考案の好ましい形態では、前記芯棒は、その少なくとも一方の端部に、貫通孔を有する。
【００２８】
このような構成とすることで、使用者は、貫通孔に適宜ストラップを通すことができ、このストラップを介して所定の箇所にぶら下げて保管しておくことができ、また、ストラップにより好みの見た目とすることもできる。
【考案の効果】
【００２９】
本考案によれば、コンパクトな形態にでき、より利便性を向上させたリユーザブルバッグを提供することができる。
【図面の簡単な説明】
【００３０】
【図１】本考案の実施形態に係るリユーザブルバッグの概略斜視図である。
【図２】本考案の実施形態に係るリユーザブルバッグの正面図である。
【図３】本考案の実施形態に係る芯棒の概略斜視図である。
【図４】本考案の実施形態に係るリユーザブルバッグをコンパクトな形態とする際の手順説明図である。
【図５】本考案の実施形態に係るリユーザブルバッグをコンパクトな形態とする際の手順説明図である。
【図６】本考案の実施形態に係るリユーザブルバッグをコンパクトな形態とする際の手順説明図である。
【考案を実施するための形態】
【００３１】
以下、図面を用いて、本考案の実施形態に係るリユーザブルバッグについて説明する。
なお、以下に示す実施形態は本考案の一例であり、本考案を以下の実施形態に限定するものではない。また、これらの図において、符号１は、本実施形態に係るリユーザブルバッグを示す。
【００３２】
図１〜図３に示すように、リユーザブルバッグ１は、バッグ１１と、芯棒１２と、を備えている。
【００３３】
バッグ１１は、柔軟性を有する袋状のバッグ本体１１ａと、バッグ本体１１ａの外面から突設され、バッグ本体１１ａと芯棒１２とを連結する連結部１１ｂと、バッグ本体１１ａの開口端から、開口方向に沿って突設された、長尺体の持ち手部１１ｃと、持ち手部１１ｃの一端を、バッグ本体１１ａに対して着脱可能に取付ける取付け機構１１ｄと、を有している。
【００３４】
バッグ本体１１ａは、特に図２に示されるように、正面視で略長方形状に構成され、後述する軸部１２ａの軸方向ｄと略垂直方向に延びる、複数の折り目線ｆを含む。
【００３５】
複数の折り目線ｆは、持ち手部１１ｃの両端が取付けられている面Ａ１、Ａ２それぞれに、軸方向ｄに沿って略一定の間隔を空けて６本設けられている。
また、複数の折り目線ｆは、面Ａ１、Ａ２に連結し、バッグ本体１１ａのマチを形成する面Ａ３、Ａ４にも、それぞれの略中央に１本設けられている。
なお、バッグ本体１１ａには、面Ａ３、Ａ４により、一定の面積を有する底面が形成され、例えば、この底面の面積程度のサイズの弁当等を、傾けることなく、バッグ本体１１ａに収容することができる。
【００３６】
連結部１１ｂは、略円筒状に構成され、バッグ本体１１ａの底部から突設されている。
また、連結部１１ｂは、特に図２に示されるように、その軸方向ｄの長さＬ１が、面Ａ１、Ａ２に設けられた複数の折り目線ｆの間隔Ｌ２以下に構成されている。
【００３７】
持ち手部１１ｃは、帯状体であり、その各端部が面Ａ１、Ａ２の中央上部に取付けられることで、面Ａ１、Ａ２に懸架されている。
また、持ち手部１１ｃの一方の面の、面Ａ２に取付けられている側の端部には、第一係合部ｔ１（図４参照）が設けられ、他方の面には、第一係合部ｔ１と係合する第二係合部ｔ２が設けられている。
また、持ち手部１１ｃの、面Ａ１に取付けられている側の端部は、面Ａ１に固着されている。
なお、本実施形態において、第一係合部ｔ１及び第二係合部ｔ２は、スナップボタンとして構成されているが、これに限られず、例えば面ファスナーを採用しても良い。
【００３８】
取付け機構１１ｄは、バッグ本体１１ａの開口端近傍（面Ａ２の上部）に設けられ、持ち手部１１ｃの一端が挿通される挿通孔ｍ１と、持ち手部１１ｃの一端を輪状体とする輪状体形成部ｍ２と、を含む、
輪状体形成部ｍ２は、上記した第一係合部ｔ１と、第一係合部ｔ１と第二係合部ｔ２との間に設けられた第三係合部ｔ３と、により構成されている。
【００３９】
このように構成された取付け機構１１ｄにより、持ち手部１１ｃの一端が、図１に示すような状態となされる。
即ち、持ち手部１１ｃの一端を挿通孔ｍ１に挿通した状態で、輪状体形成部ｍ２である第一係合部ｔ１と第三係合部ｔ３とにより、持ち手部１１ｃの一端を輪状体とすることで、持ち手部１１ｃの一端が、面Ａ２に安定的に取付けられる。
【００４０】
芯棒１２は、特に図３に示されるように、バッグ本体１１ａと連結部１１ｂとが巻き回される軸部１２ａと、軸部１２ａの両端に設けられたストッパー部１２ｂと、一方のストッパー部１２ｂ（第一ストッパー部１２ｂ１）に設けられた貫通孔１２ｃと、を有している。
【００４１】
軸部１２ａには、連結部１１ｂが挿通される、細長のスリット１２ａ１が設けられている。
【００４２】
ストッパー部１２ｂは、四方に窪みが形成された第一ストッパー部１２ｂ１と、略円盤状の第二ストッパー部１２ｂ２と、により構成されている。
また、各ストッパー部１２ｂ１、１２ｂ２には、軸部１２ａの軸方向ｄと略垂直方向に広がる接触面ｃが設けられている。
なお、ストッパー部１２ｂは、軸部１２ａの何れか一方の端部のみに形成されていても良いし、軸部１２ａの両端が、第一ストッパー部１２ｂ１又は第二ストッパー部１２ｂ２の何れか一方のみで構成されていても良い。
【００４３】
貫通孔１２ｃは、スリット１２ａ１の貫通方向と略同一の方向に貫通して形成されている。
なお、貫通孔１２ｃは、第一ストッパー部１２ｂ１と第二ストッパー部１２ｂ２の両方に設けられていても良い。
【００４４】
以下、図４〜図６を用いて、リユーザブルバッグ１をコンパクトな形態とする際の手順について説明する。
【００４５】
まず、使用者は、図４（ａ）に示すように、第一係合部ｔ１と第三係合部ｔ３との係合状態を解消し、持ち手部１１ｃの一端を挿通孔ｍ１から抜き出す。
【００４６】
次に、使用者は、図４（ｂ）に示すように、面Ａ３、Ａ４に設けられた折り目線ｆにより、バッグ本体１１ａをマチ方向に沿って折り畳む。
なお、この際、面Ａ１に設けられた各折り目線ｆと面Ａ２に設けられた各折り目線ｆとが一致する。
【００４７】
次に、使用者は、図５（ａ）に示すように、面Ａ１、Ａ２に設けられた折り目線ｆにより、バッグ本体１１ａを、軸方向ｄに沿って折り畳む。
これにより、バッグ本体１１ａの軸方向ｄに沿った長さは、軸部１２ａの長さ以下となる。
【００４８】
次に、使用者は、図５（ｂ）に示すように、軸方向ｄに沿って折り畳まれたバッグ本体１１ａを、連結部１１ｂと共に軸部１２ａに巻き回す。
【００４９】
次に、使用者は、図６に示すように、軸部１２ａに巻き回されたバッグ本体１１ａの外周面に、持ち手部１１ｃを巻き回し、第一係合部ｔ１と第二係合部ｔ２とを係合させる。
【００５０】
このように、本実施形態によれば、リユーザブルバッグ１の不使用時に、軸部１２ａにバッグ本体１１ａと連結部１１ｂとを巻き回すことで、簡便かつ迅速にコンパクトな形態とすることができ、例えば鞄のポケット等任意の箇所に容易に収納しておくことが可能となる。
特に、本実施形態によれば、コンパクトな形態となされたリユーザブルバッグ１は、芯棒１２を介して、常時持ち歩く携帯電話にストラップ感覚で取付けておくことができる。このため、使用者は、外出時にリユーザブルバッグ１を持ち出し忘れることがない。
【００５１】
また、折り目線ｆが軸方向ｄに沿って略一定の間隔を空けて複数設けられていることで、バッグ本体１１ａの軸方向ｄに沿った折り畳み作業を迅速に行うことができる上、不要な嵩張りも防止することが可能となる。
【００５２】
また、連結部１１ｂにおける軸方向ｄの長さＬ１が複数の折り目線ｆの間隔Ｌ２以下に構成されていることで、リユーザブルバッグ１の軸方向ｄに沿った長さを、間隔Ｌ２と略同一の長さとなるまで折り畳むことができ、リユーザブルバッグ１をよりコンパクトな形態とすることが可能となる。
【００５３】
また、バッグ１１が持ち手部１１ｃを有することで、バッグ本体１１ａに所定の物品を収容した際の持ち運びが容易となる。
【００５４】
また、バッグ１１が取付け機構１１ｄを有することで、持ち手部１１ｃを、コンパクトな形態を維持する留め具として機能させることが可能となる。
【００５５】
また、取付け機構１１ｄが、挿通孔ｍ１と、輪状体形成部ｍ２と、を含むことで、簡易な構成でもって、持ち手部１１ｃの一端の、バッグ本体１１ａへの強固な取付け及びバッグ本体１１ａからの迅速な脱離作業を行うことが可能となる。
【００５６】
また、持ち手部１１ｃの一方の面の端部に第一係合部ｔ１が設けられ、他方の面に第一係合部ｔ１と係合する第二係合部ｔ２が設けられていることで、簡便に、持ち手部１１ｃを留め具として機能させることが可能となる。
【００５７】
また、芯棒１２がストッパー部１２ｂを有し、ストッパー部１２ｂに軸方向ｄと略垂直方向に広がる接触面ｃが設けられていることで、芯棒１２に巻き回したバッグ本体１１ａが軸方向ｄにズレることがなく、コンパクトな形態を安定して維持ことが可能となる。
【００５８】
また、芯棒１２が一方の端部に貫通孔１２ｃを有することで、使用者は、貫通孔１２ｃに適宜ストラップを通すことができ、このストラップを介して所定の箇所にぶら下げて保管しておくことができ、また、ストラップにより好みの見た目とすることもできる。
【００５９】
なお、上述の実施形態において示した各構成部材の諸形状や寸法等は一例であって、設計要求等に基づき種々変更可能である。
【符号の説明】
【００６０】
１          リユーザブルバッグ
１１        バッグ
１１ａ      バッグ本体
Ａ１〜Ａ４  面
ｆ          折り目線
１１ｂ      連結部
１１ｃ      持ち手部
ｔ１        第一係合部
ｔ２        第二係合部
ｔ３        第三係合部
１１ｄ      取付け機構
ｍ１        挿通孔
ｍ２        輪状体形成部
１２        芯棒
１２ａ      軸部
１２ｂ      ストッパー部
１２ｂ１    第一ストッパー部
１２ｂ２    第二ストッパー部
ｃ          接触面
１２ｃ      貫通孔
ｄ          軸方向
【図１】
0003229938.tif 000003
【図２】
0003229938.tif 000004
【図３】
0003229938.tif 000005
【図４】
0003229938.tif 000006
【図５】
0003229938.tif 000007
【図６】
0003229938.tif 000008